(57)【要約】【課題】ゲート通過者の認証結果の効果音を利用して演出する音出力システムを提供すること。【解決手段】本発明の音出力システムは、識別情報を発信可能な通信媒体を近接させた際に、識別情報を取得するリーダ（１ａ）を備えたゲート（１）と、リーダ（１ａ）で取得した識別情報が認証されたときに音源信号を送信する送信部（２５）を有する制御装置（２）と、制御装置（２）と電気的に接続されており、音源信号を出力する指向性スピーカ（３）と、送信部（２５）から送信された音源信号を出力する無指向性スピーカ（４）と、を具備することを特徴とする。【選択図】図２
2014021848.tif 000002
【特許請求の範囲】
【請求項１】
識別情報を発信可能な通信媒体を近接させた際に、前記識別情報を取得するリーダを備えたゲートと、
前記リーダで取得した識別情報が認証されたときに音源信号を送信する制御装置と、
前記制御装置と電気的に接続されており、前記音源信号を出力するスピーカと、
前記送信部から送信された前記音源信号を出力する無指向性スピーカと、
を具備することを特徴とする音出力システム。
【請求項２】
前記制御装置は、前記無指向性スピーカに第１音源信号を常時送信するとともに、前記識別信号が認証されたタイミングで第２音源信号を前記無指向性スピーカ及び前記スピーカに送信することを特徴とする請求項１記載の音出力システム。
【請求項３】
前記制御装置はメロディとなる音源を格納しており、前記メロディを構成する音の音源信号を前記メロディの前段から順番に前記無指向性スピーカに送信することを特徴とする請求項１又は請求項２記載の音出力システム。
【請求項４】
前記ゲートが複数並設されており、前記制御装置が、前記識別信号が認証されたタイミングが複数のゲートにおいて同期したときに、前記制御装置は特別な音源信号を前記スピーカに出力することを特徴とする請求項１から請求項３のいずれかに記載の音出力システム。
【請求項５】
前記スピーカが指向性スピーカであることを特徴とする請求項１から請求項４のいずれかに記載の音出力システム。
【請求項６】
前記スピーカが前記ゲートに設けられていることを特徴とする請求項１から請求項４のいずれかに記載の音出力システム。
【請求項７】
前記ゲートがセキュリティゲート又は改札ゲートであることを特徴とする請求項１から請求項６のいずれかに記載の音出力システム。
【発明の詳細な説明】
【技術分野】
【０００１】
本発明は、セキュリティゲートや改札ゲートに配設される音出力システムに関する。
【背景技術】
【０００２】
人が通過する通路に配設されるゲート、例えばセキュリティゲートでは、認証システムで認証された利用者のみが通過できる構成となっている。具体的には、ゲート通過者が、ゲートに設けられたリーダ部に識別情報を発信可能なカードを近接させると、認証システムでゲート通過者の識別情報が照合され、認証された場合にのみゲートの通過が許される（特許文献１）。
【０００３】
このようなセキュリティゲートにおいては、ゲート通過者の識別情報を照合し、その結果（認証結果）をゲート通過者に音で知らせるシステムがある（特許文献２、特許文献３）。
【先行技術文献】
【特許文献】
【０００４】
【特許文献１】特開２００５−９０８０号公報
【特許文献２】特開２００８−２４０２８１号公報
【特許文献３】特開２０１１−８５００４号公報
【発明の概要】
【発明が解決しようとする課題】
【０００５】
特許文献２及び特許文献３に開示された音（効果音）で知らせる技術は、ゲート通過者の認証結果をゲート通過者に知らせるためのものであり、この認証結果の効果音を利用して演出するというシステムは存在しなかった。
【０００６】
本発明はかかる点に鑑みてなされたものであり、ゲート通過者の認証結果の効果音を利用して演出する音出力システムを提供することを目的とする。
【課題を解決するための手段】
【０００７】
本発明の音出力システムは、識別情報を発信可能な通信媒体を近接させた際に、前記識別情報を取得するリーダを備えたゲートと、前記リーダで取得した識別情報が認証されたときに音源信号を送信する制御装置と、前記制御装置と電気的に接続されており、前記音源信号を出力するスピーカと、前記送信部から送信された前記音源信号を出力する無指向性スピーカと、を具備することを特徴とする。
【０００８】
この構成によれば、ゲート通過者が、識別情報を発信可能な通信媒体をリーダに近接させ、識別情報が認証されたタイミングで、音源信号をゲート近くに設置したスピーカと、ゲートから離れた場所に設置した無指向性スピーカとに送信し、その音源信号をスピーカ及び無指向性スピーカから出力させるので、ゲート通過者だけでなく、ゲートから離れた場所にいる人たちにも種々の演出を提供することが可能となる。
【０００９】
本発明の音出力システムにおいては、前記制御装置は、前記無指向性スピーカに第１音源信号を常時送信するとともに、前記識別信号が認証されたタイミングで第２音源信号を前記無指向性スピーカ及び前記スピーカに送信することが好ましい。
【００１０】
本発明の音出力システムにおいては、前記制御装置はメロディとなる音源を格納しており、前記メロディを構成する音の音源信号を前記メロディの前段から順番に前記無指向性スピーカに送信することが好ましい。
【００１１】
本発明の音出力システムにおいては、前記ゲートが複数並設されており、前記制御装置が、前記識別信号が認証されたタイミングが複数のゲートにおいて同期したときに、前記制御装置は特別な音源信号を前記スピーカに出力することが好ましい。
【００１２】
本発明の音出力システムにおいては、前記スピーカが指向性スピーカであることが好ましい。
【００１３】
本発明の音出力システムにおいては、前記スピーカが前記ゲートに設けられていることが好ましい。
【００１４】
本発明の音出力システムにおいては、前記ゲートがセキュリティゲート又は改札ゲートであることが好ましい。
【発明の効果】
【００１５】
本発明によれば、ゲート通過者の認証結果の効果音を利用して演出する音出力システムを実現することができる。
【図面の簡単な説明】
【００１６】
【図１】本発明の実施の形態に係る音出力システムを示す概略図である。
【図２】本発明の実施の形態に係る音出力システムの概略構成を示すブロック図である。
【図３】本発明の実施の形態に係る音出力システムにおける音源信号の出力タイミングを説明するための図である。
【発明を実施するための形態】
【００１７】
以下、本発明の実施の形態について、添付図面を参照して詳細に説明する。
本発明の音出力システムは、識別情報を発信可能な通信媒体を近接させた際に、この識別情報を取得するリーダを備えたゲートと、リーダで取得した識別情報が認証されたときに音源信号を送信する制御装置と、制御装置と電気的に接続されており、音源信号を出力するスピーカと、制御装置から送信された音源信号を出力する無指向性スピーカと、を具備する。この音出力システムにおいては、ゲート通過者がゲートで認証されるタイミングで、すなわち、ゲート通過者が、識別情報を発信可能な通信媒体（ＩＤカード）をリーダに近接させ、識別情報が認証されたタイミングで、音源信号（例えば、効果音）をゲート近くに設置したスピーカと、ゲートから離れた場所に設置した無指向性スピーカとに送信し、その音源信号をスピーカ及び無指向性スピーカから出力させる。これにより、ゲート通過者だけでなく、ゲートから離れた場所にいる人たちにも種々の演出を提供することが可能となる。
【００１８】
ここでは、本発明の音出力システムを、ビル、イベント会場、テーマパーク等に配設されるセキュリティゲートに適用した場合を例にして説明する。図１は、本発明の実施の形態に係る音出力システムを説明するための図である。また、図２は、本発明の実施の形態に係る音出力システムの概略構成を示すブロック図である。
【００１９】
図１に示す音出力システムは、ゲート通過者が通過可能なゲート１と、ゲート通過者の認証のタイミングで音源信号を送信する制御装置２と、ゲート１の近傍に配設され、制御装置２で送信された音源信号を出力する指向性スピーカ３と、ゲート１から離れた場所に配設され、制御装置２で送信された音源信号を出力する無指向性スピーカ４と、から主に構成されている。
【００２０】
ゲート１は、いわゆるセキュリティゲートであり、水平面に垂直な軸を中心に回動して通路を閉鎖する閉鎖部材（以下、フラップＦという）と、ゲート通過者が所持するＩＤカードとの間で信号の送受信を行うリーダ部１ａと、を備えている。このフラップＦは、ＩＤカードをリーダ部１ａに近接させて認証がなされたときに回動してゲート通過者の通過を可能とする。複数のゲート１が並設されてもよい。
【００２１】
制御装置２は、ゲート１のフラップＦの開閉を制御すると共に、ゲート通過者の認証がなされたタイミングで音源信号を指向性スピーカ３及び無指向性スピーカ４に出力する。また、制御装置２は、ゲート１との間で信号の送受信を行う送受信部２１と、音源信号を格納する音源メモリ２２と、音源信号の出力タイミングを制御するタイミング制御部２３と、ゲート１から送られた識別情報を照合して認証を行うと共に、照合結果を出力する照合部２４と、音源信号を無指向性スピーカ４に送信する送信部２５と、音源信号を増幅して指向性スピーカ３に出力する増幅部２６と、から主に構成されている。なお、送受信部２１及び照合部２４と、音源メモリ２２、タイミング制御部２３、送信部２５及び増幅部２６とは、それぞれ別装置で構成されていても良い。
【００２２】
ＩＤカードとリーダ部１ａとの間の認証は、ＩＤカードの識別情報をリーダ部１ａで読み取り(取得し)、その識別情報をセキュリティゲートシステム側で登録されている識別情報と照合することにより行う。すなわち、リーダ部１ａはＩＤカードの識別情報を非接触通信により取得する。そして、この識別情報は、ゲート１側から送信され、制御装置２の送受信部２１を介して照合部２４に送られる。制御装置２の照合部２４は、予め登録された識別情報とリーダ部１ａから出力された識別情報とを照合し、識別情報が同一である、又は識別情報が同一でない、という照合結果に基づいて、ゲート１のフラップＦの開閉信号を生成する。例えば、照合部２４は、識別情報が同一である場合にフラップＦを開く旨の開閉信号を生成する。照合部２４は、この開閉信号を、送受信部２１を介してゲート１側に送信する。ゲート１側では、フラップＦを開く旨の開閉信号を受信したときに、フラップＦを開く。
【００２３】
制御装置２は、ゲート１のリーダ部１ａで取得した識別情報が認証されたときに音源信号を指向性スピーカ３及び無指向スピーカ４に送信する。すなわち、上記のように、リーダ部１ａはＩＤカードの識別情報を非接触通信により取得する。そして、この識別情報は、ゲート１側から送信され、制御装置２の送受信部２１を介して照合部２４に送られる。照合部２４は、予め登録された識別情報とリーダ部１ａから出力された識別情報とを照合し、識別情報が同一である、又は識別情報が同一でない、照合結果のときに、音源信号を指向性スピーカ３及び無指向スピーカ４に送信する制御信号を出力する。ここでは、照合部２４は、識別情報が同一である照合結果のときに、音源信号を送信する旨の制御信号を生成し、タイミング制御部２３に出力する。タイミング制御部２３は、照合部２４からの制御信号を受けたときに、音源メモリ２２に格納されている音源信号を、そのタイミングを制御して増幅部２６及び送信部２５に出力する。増幅部２６に出力された音源信号は指向性スピーカ３に送られ、送信部２５に出力された音源信号を無指向性スピーカ４に送られる。なお、識別情報が同一でない照合結果のときには、指向性スピーカ３からエラー音信号を出力する。
【００２４】
音源メモリ２２は、種々の音源信号を格納する。ここで、音源信号とは、一つの音（単音）の信号、二つ以上の音の信号、メロディ、環境音、効果音等のあらゆる音信号を含む。なお、メロディについては、少なくとも一部を含んでいれば良い。
【００２５】
タイミング制御部２３は、音源メモリ２２に格納されている音源信号を出力するタイミングを制御する。すなわち、タイミング制御部２３は、指向性スピーカ３及び無指向性スピーカ４で音源信号が出力されるタイミングを制御して、音源メモリ２２から音源信号を抽出して指向性スピーカ３及び無指向性スピーカ４に送る。
【００２６】
タイミング制御部２３は、指向性スピーカ３に出力する音源信号と無指向性スピーカ４に出力する音源信号とを同じにするように音源メモリ２２から音源信号を抽出しても良く、指向性スピーカ３に出力する音源信号と無指向性スピーカ４に出力する音源信号とを異なるように音源メモリ２２から音源信号を抽出しても良い。指向性スピーカ３に出力する音源信号と無指向性スピーカ４に出力する音源信号とを異ならせる場合、例えば、ある音源信号を無指向性スピーカ４に常時送信し、識別信号が認証されたタイミングで別の音源信号を無指向性スピーカ４及び指向性スピーカ３に送信する。このような構成にすることにより、識別信号が認証されたタイミングでは、無指向性スピーカ４で異なる音源信号が重畳されることになり、より特徴的な音にすることが可能である。この場合において、タイミング制御部２３が上記別の音源信号を出力するタイミングを制御することにより、メロディ化することも可能である。例えば、無指向性スピーカ４に常時送信する音源信号を環境音（川の流れ、波の音、風の音等）とし、識別信号が認証されたタイミングで無指向性スピーカ４及び指向性スピーカ３に送信する音源信号を鉄筋やピアノの音としてもよい。識別信号が認証されたタイミングで無指向性スピーカ４及び指向性スピーカ３に送信する音源信号は、全体としてメロディを構成してもよい。これにより、無指向性スピーカ４及び指向性スピーカ３から出力される音が、全体として一つの音楽となる。
【００２７】
また、タイミング制御部２３は、音源信号がメロディである場合において、メロディを構成する音の音源信号をメロディの前段から順番に無指向性スピーカに送信する。例えば、図３に示すように、識別信号が認証されたタイミング（図３における矢印のタイミング）で、メロディの前段（図３において紙面向って左側）から順番に音源信号を無指向性スピーカ４に送信する。すなわち、無指向性スピーカ４からは、識別信号が認証されたタイミングでメロディを構成する音が順次出力されることになる。なお、各メロディを構成する音の間隔はタイミング制御部２３で制御する。
【００２８】
また、図１に示すように複数設置されているゲートをランダムに人が通過する際に、メロディを構成する音の音源信号をメロディの前段から順番に無指向性スピーカに送信するように構成しても良い。例えば、第１ゲート及び第２ゲートが並設されている場合において、一人目が第１ゲート、二人目が第１ゲート、三人目が第２ゲート、四人目が第１ゲート、五人目が第２ゲートを通過したとき、識別信号が認証されたタイミング（図３における矢印のタイミング）で、メロディの前段（図３において紙面向って左側）から順番に音源信号を無指向性スピーカ４に送信する。すなわち、複数のゲートを通過する人の効果音でメロディを構成しても良い。
【００２９】
また、図１に示すようにゲート１が複数並設されている場合において、識別信号が認証されたタイミングが複数のゲートにおいて同期したときには、タイミング制御部２３は特別な音源信号（例えば、メッセージ）を指向性スピーカ３に出力する。この場合、特別な音源信号は、識別信号が認証されたタイミングで指向性スピーカ３に出力する音源信号と異なる音源信号であれば良い。このような構成にすることにより、より高い演出効果を発揮させることができる。
【００３０】
指向性スピーカ３は、制御信号２と電気的に接続されており、上述した音源信号を出力する。指向性スピーカ３は、ゲート１を通過する者に対して音源信号を出力する。このため、指向性スピーカ３は、ゲート１の近傍に設置される。また、指向性スピーカ３においては、移動しているゲート通過者の移動領域で音源信号が聞こえるように指向性が設定されている。
【００３１】
指向性スピーカ３から音源信号を出力する場合、制御装置２において、音源メモリ２２に格納されている音源信号を増幅部２６でＤ／Ａ変換してアナログ信号とし、そのアナログ信号を増幅して指向性スピーカ３に出力する。指向性スピーカ３においては、増幅されたアナログ信号に基づいてコイルに電流を通流し、これによりコーンを振動させて音出力する。なお、本実施の形態においては、制御装置２が増幅部２６を有する構成としているが、指向性スピーカに増幅部が設けられていても良い。
【００３２】
本実施の形態においては、ゲート１を通過する者に対して音源信号を出力するスピーカとして指向性スピーカを用いた場合について説明しているが、本発明はこれに限定されず、スピーカがゲート１に設けられており、ゲート１を通過する者に対して有効に音源信号を出力することができれば、スピーカは指向性スピーカでなく、無指向性スピーカであっても良い。
【００３３】
無指向性スピーカ４は、制御装置２の送信部２５から送信された音源信号を出力する。無指向性スピーカ４は、ゲート１から離れた場所にいる人に対して音源信号を出力する。このため、無指向性スピーカ４は、ゲート１から離れた場所に設置される。したがって、無指向性スピーカ４とゲート１との間の距離は、指向性スピーカ３とゲート１との間の距離よりも長くなる。
【００３４】
無指向性スピーカ４から音源信号を出力する場合、制御装置２において、音源メモリ２２に格納されている音源信号を送信部２５から無指向性スピーカ４に無線で送信する。無指向性スピーカ４では、制御装置２から送信された音源信号を受信部４１で受信し、増幅部４２に出力する。増幅部４２では、音源信号をＤ／Ａ変換してアナログ信号とし、そのアナログ信号を増幅し、増幅されたアナログ信号に基づいてコイルに電流を通流し、これによりコーンを振動させて音出力する。
【００３５】
本実施の形態においては、制御装置２の送信部２５から音源信号を送信するスピーカとして無指向性スピーカを用いる場合について説明しているが、ゲート通過者以外の人が制御装置２の送信部２５から送信される音源信号を聞けることができれば、本発明はこれに限定されず、例えば、指向性を広く設定した指向性スピーカを用いても良い。なお、この場合、設定する指向性の広さは、当該スピーカを設置する空間に応じて適宜設定することができる。
【００３６】
本実施の形態においては、制御装置２の送信部２５から無指向性スピーカ４に音源信号を無線で送信する場合について説明しているが、本発明はこれに限定されず、制御装置２の送信部２５から無指向性スピーカ４に音源信号を有線で送信しても良い。また、無線インターフェースとしては、無線通信、Bluetooth（登録商標）、無線ＬＡＮ、赤外線通信等を用いることができる。
【００３７】
上述した音出力システムにおいては、ゲート通過者が、ＩＤカードをリーダに近接させ、識別情報が認証されたタイミングで、音源信号（例えば、効果音）をゲート１の近くに設置した指向性スピーカ３と、ゲート１から離れた場所に設置した無指向性スピーカ４とに送信し、その音源信号を指向性スピーカ３及び無指向性スピーカ４から出力させる。これにより、ゲート１を通過する者は、指向性スピーカ３から出力される音が相対的に大きく聞こえると共に、無指向性スピーカ４から出力される音が相対的に小さく聞こえる。この場合において、例えば、ある音源信号を無指向性スピーカ４に常時送信し、識別信号が認証されたタイミングで別の音源信号を無指向性スピーカ４及び指向性スピーカ３に送信することにより、識別信号が認証されたタイミングでは、無指向性スピーカ４で異なる音源信号が重畳され、より特徴的な音になり、ゲート通過者の認証結果の効果音を利用して演出効果を高めることができる。
【００３８】
上記実施の形態においては、ゲート１がセキュリティゲートである場合について説明しているが、本発明はこれに限定されず、ゲートが駅の改札ゲートであり、識別情報を発信可能な通信媒体がＳｕｉｃａ（登録商標）等である場合、ゲートを通過する際に使用する媒体が識別情報を発信可能な通信媒体でなく、チケットである場合にも同様に適用することが可能である。
【００３９】
本発明は上記実施の形態に限定されず、様々変更して実施することが可能である。例えば、本発明の範囲を逸脱しない限りにおいて、上記説明における処理部の数、処理手順については適宜変更して実施することが可能である。その他、本発明の範囲を逸脱しないで適宜変更して実施することが可能である。
【産業上の利用可能性】
【００４０】
本発明は、ビル、イベント会場、テーマパーク等に配設されるセキュリティゲートや、駅の改札ゲート等に適用することができる。
【符号の説明】
【００４１】
１  ゲート
１ａ  リーダ部
２  制御装置
３  指向性スピーカ
４  無指向性スピーカ
２１  送受信部
２２  音源メモリ
２３  タイミング制御部
２４  照合部
２５  送信部
２６，４２  増幅部
４１  受信部
【図１】
2014021848.tif 000003
【図２】
2014021848.tif 000004
【図３】
2014021848.tif 000005